(57)【要約】【課題】ハウジングの一部にワイヤーシールまたはリテーナの外れ防止機能を設けた、部品の作成時間及び作成コストを削減することが可能な、機器用シールドコネクタのシールド端末処理構造を提供する。【解決手段】金属ハウジング３３の保持部３３ａが、リテーナ４０を押さえるようにして、端子ハウジング３２に被さり、機器のシールドケースに取り付けられる。このとき、ワイヤーシール３９及びリテーナ４０が、金属ハウジング３３の保持部３３ａと、端子ハウジング３２の収納孔３２ａの開口面３２ｃとの間で、挟圧されて保持される。【選択図】図１
2008235191.tif 000002
【特許請求の範囲】
【請求項１】
機器ケースの内部に機器側端子が設置されている機器と電線とを電気的に接続する機器用シールドコネクタのシールド端末処理構造であって、
電気的に絶縁された端子ハウジングの前記電線の端末に固着された端子を収納する収納孔の開口面と、
前記端子ハウジングの外周を被うハウジングに設けられた前記電線側の端部に設けられた、内面側に曲げられた保持部との間に、
前記電線の外周に装着した前記収納孔の開口部を被う円環状のワイヤーシールと、
前記ワイヤーシールを保持する円環状のリテーナと、
を、保持することを特徴とするシールド端末処理構造。
【請求項２】
機器ケースの内部に機器側端子が設置されている機器と電線とを電気的に接続する機器用シールドコネクタのシールド端末処理構造であって、
電気的に絶縁された端子ハウジングの前記電線の端末に固着された端子を収納する収納孔の開口面と、
前記端子ハウジングの外周を被うハウジングに設けられた前記電線側の端部に設けられた、内面側に曲げられた保持部との間に、
前記電線の外周に装着した前記収納孔の開口部を被う円環状のワイヤーシールを保持することを特徴とするシールド端末処理構造。
【発明の詳細な説明】
【技術分野】
【０００１】
本発明は、シールド端末処理構造に関する。特に、高電圧、高電流、及び防水環境の下で、シールドケースの内部に複数の機器側端子が設置されている機器と絶縁電線とを電気的に接続する機器用シールドコネクタのシールド端末処理構造に関する。
【背景技術】
【０００２】
ハイブリッド電気自動車（ＨＥＶ：Ｈｙｂｒｉｄ  Ｅｌｅｃｔｒｉｃ  Ｖｅｈｉｃｌｅ）に使用されるモータは三相交流駆動であるため、インバータとモータ間を電気的に接続するワイヤーハーネスは３本必要になる。また、モータを駆動させるためのバッテリは高電圧であり、低電圧の１２Ｖ系とは別に２本のワイヤーハーネスが必要になる。従って、ＨＥＶ車におけるハイブリッドシステムに使用される送受電用の電線は２本または３本で配索される。
【０００３】
また、インバータ、バッテリ、モータ相互間の送受電力が大きく、しかも、交流周波数が高いことから、ワイヤーハーネスがノイズ源になることもあり、ＨＥＶ車用のワイヤーハーネスはシールド機能を確保することが必要となる。
【０００４】
そのため、機器側と電線とを接続するためのシールド機能を有したコネクタが提案されている。特許文献１では、シールド電線の代わりに非シールドタイプの被覆電線を２本または３本使用し、それらを一括して編組線で包囲する構造の機器用コネクタが提案されている。
【特許文献１】特開２００４−１７２００８号公報
【発明の開示】
【発明が解決しようとする課題】
【０００５】
従来、機器用シールドコネクタでは、電線との接続部を防水するために、電線毎に防水用パッキングを電線の外周に装着し、防水用パッキングを止めるためにリテーナを、更に装着させている。
【０００６】
しかしながら、このリテーナの外れ防止のために、リテーナの外周に突起を設けたり、その突起が嵌め込まれるような形状を端子ハウジングに設けたりしていた。そのため、リテーナ及び端子ハウジングの形状が複雑になり、部品の作成に時間がかかったり、作成コストがかかったりしてしまうという問題点があった。
【０００７】
本発明は、以上のような問題点を解決するためになされたもので、金属ハウジングの一部にワイヤーシールまたはリテーナの外れ防止機能を設けた、部品の作成時間及び作成コストを削減することが可能な、機器用シールドコネクタのシールド端末処理構造を提供することを目的とする。
【課題を解決するための手段】
【０００８】
上述した従来の問題点を解決すべく下記の発明を提供する。
【０００９】
本発明の第１の態様にかかるシールド端末処理構造は、機器ケースの内部に機器側端子が設置されている機器と電線とを電気的に接続する機器用シールドコネクタのシールド端末処理構造であって、電気的に絶縁された端子ハウジングの前記電線の端末に固着された端子を収納する収納孔の開口面と、前記端子ハウジングの外周を被うハウジングに設けられた前記電線側の端部に設けられた、内面側に曲げられた保持部との間に、前記電線の外周に装着した前記収納孔の開口部を被う円環状のワイヤーシールと、前記ワイヤーシールを保持する円環状のリテーナと、を、保持することを特徴とする。
【００１０】
これにより、ハウジングの一部にリテーナの外れ防止機能（保持部）を設けることで、リテーナ及び端子ハウジングの形状が簡単になる。即ち、これらの部品の金型が簡単になる。従って、部品の作成時間及び作成コストを削減することができる。
【００１１】
本発明の第２の態様にかかるシールド端末処理構造は、機器ケースの内部に機器側端子が設置されている機器と電線とを電気的に接続する機器用シールドコネクタのシールド端末処理構造であって、電気的に絶縁された端子ハウジングの前記電線の端末に固着された端子を収納する収納孔の開口面と、前記端子ハウジングの外周を被うハウジングに設けられた前記電線側の端部に設けられた、内面側に曲げられた保持部との間に、前記電線の外周に装着した前記収納孔の開口部を被う円環状のワイヤーシールを保持することを特徴とする。
【００１２】
これにより、ハウジングの一部にワイヤーシールの外れ防止機能（保持部）を設けることで、端子ハウジングの形状が簡単になる。即ち、端子ハウジングの金型が簡単になる。また、リテーナが不要になる。従って、部品の作成時間及び作成コストを削減することができる。
【発明の効果】
【００１３】
本発明によれば、ハウジングの一部にリテーナの外れ防止機能を設けることで、リテーナ及び端子ハウジングの形状が簡単になる。即ち、これらの部品の金型が簡単になる。従って、部品の作成時間及び作成コストを削減することができる。
【００１４】
また、ハウジングの一部にワイヤーシールの外れ防止機能を設けることで、端子ハウジングの形状が簡単になる。即ち、端子ハウジングの金型が簡単になる。また、リテーナが不要になる。従って、部品の作成時間及び作成コストを削減することができる。
【発明を実施するための最良の形態】
【００１５】
この発明の一実施態様を、図面を参照しながら説明する。なお、以下に説明する実施態様は説明のためのものであり、本発明の範囲を制限するものではない。従って、当業者であればこれらの各要素もしくは全要素をこれと均等なもので置換した実施態様を採用することが可能であるが、これらの実施態様も本発明の範囲に含まれる。
【００１６】
図１から図３を参照して、本発明の一実施形態にかかる機器用シールドコネクタのシールド端末処理構造を説明する。
【００１７】
図１は、本発明の一実施形態にかかるシールド端末処理構造である機器用シールドコネクタの一例を示した概略図である。
【００１８】
図１に示すように、機器用シールドコネクタ１０の電線側の構造は、電気的に絶縁された端子ハウジング３２の収納孔３２ａに、電線４１の端末に固定された端子（図示せず）及び電線４１の先端部を収納されている。また、電線４１の外周に、円環状の防水のためのワイヤーシール３９が装着されている。また、このワイヤーシール３９の外れ防止のためにリテーナ４０が、電線４１の外周に装着されている。
【００１９】
端子及び電線４１の先端部は、ワイヤーシール３９によって、端子ハウジング３２の収納孔３２ａの開口部３２ｂを被うように、端子ハウジング３２の収納孔３２ａに収納される。
【００２０】
金属ハウジング３３は、電線側の端部に内面側に曲げられた保持部３３ａが設けられている。この保持部３３ａは、電線側の端部全てに設けられていても良いし、数箇所だけに設けられるようにしてもよい。
【００２１】
金属ハウジング３３の保持部３３ａが、リテーナ４０を押さえるようにして、端子ハウジング３２の端部３２ａ及びリテーナ４０の平面部４０ｂに被さり、機器のシールドケースに取り付けられる。このとき、ワイヤーシール３９及びリテーナ４０が、金属ハウジング３３の保持部３３ａと、端子ハウジング３２の収納孔３２ａの開口面３２ｃとの間で、挟圧されて保持される。
【００２２】
図２は、ワイヤーシール３９及びリテーナ４０を利用した機器用シールドコネクタ１０のリテーナ４０を示した図である。図２（ａ）は、リテーナ４０の斜視図であり、図２（ｂ）は、リテーナ４０の平面図であり、図２（ｃ）は、リテーナ４０の正面図であり、図２（ｄ）は、リテーナ４０の右側側面図である。
【００２３】
図２のリテーナ４０は、電線４１を２つで挟んで、円環状にて使用する。リテーナ４０は、一方の端部に、外径の異なる部分４０ａを形成している。金属ハウジング３３の保持部３３ａと、端子ハウジング３２の収納孔３２ａの開口面３２ｃとの間で、挟圧されるとき、平面部４０ｂが金属ハウジング３３の保持部３３ａと接触する（図１参照）。
【００２４】
上述したように、金属ハウジング３３の一部にリテーナの外れ防止機能である保持部３３ａを設けるにより、リテーナ４０及び端子ハウジング３２の形状が簡単になる。即ち、リテーナ４０及び端子ハウジング３２の金型が簡単になる。従って、部品の作成時間及び作成コストを削減することができる。
【００２５】
上述したように、図１では、ワイヤーシール３９及びリテーナ４０を利用した機器用シールドコネクタ１０であるが、ワイヤーシール３９だけを利用した機器用シールドコネクタ１０であってもよい。
【００２６】
図３は、ワイヤーシール３９だけを利用した機器用シールドコネクタ１０のワイヤーシール３９の一例を示した図である。図３（ａ）は、ワイヤーシール３９の斜視図であり、図３（ｂ）は、ワイヤーシール３９の平面図であり、図３（ｃ）は、ワイヤーシール３９の正面図である。
【００２７】
図３のワイヤーシール３９は、一方の端部に、外径の異なる部分３９ａを形成している。金属ハウジング３３の保持部３３ａと、端子ハウジング３２の収納孔３２ａの開口面３２ｃとの間で、挟圧されるとき、平面部３９ｂが金属ハウジング３３の保持部３３ａと接触する（図１参照）。
【００２８】
上述したように、金属ハウジング３３の一部にリテーナの外れ防止機能である保持部３３ａを設けることにより、端子ハウジング３２の形状が簡単になる。即ち、端子ハウジングの金型が簡単になる。また、リテーナ４０が不要になる。従って、部品の作成時間及び作成コストを削減することができる。
【図面の簡単な説明】
【００２９】
【図１】本発明の一実施形態にかかるシールド端末処理構造である機器用シールドコネクタの一例を示した概略図である。
【図２】ワイヤーシール３９及びリテーナ４０を利用した機器用シールドコネクタ１０のリテーナ４０を示した図である。
【図３】ワイヤーシール３９だけを利用した機器用シールドコネクタ１０のワイヤーシール３９の一例を示した図である。
【符号の説明】
【００３０】
１０    機器用シールドコネクタ
３２    端末ハウジング
３３    金属ハウジング
３９    ワイヤーシール
４０    リテーナ
４１    絶縁電線
【図１】
2008235191.tif 000003
【図２】
2008235191.tif 000004
【図３】
2008235191.tif 000005